(57)【特許請求の範囲】
【請求項１】
光源として、口金を備える直管型ランプが使用される照明器具であって、
器具本体と、
前記直管型ランプが装着されるソケットと、
前記器具本体の、前記直管型ランプの長手方向における両端に設けられると共に、前記ソケットを保持するソケット台と、
前記ソケット台に取り付けられると共に、前記直管型ランプが前記ソケットに装着されている状態において、前記直管型ランプの口金を含む端部および前記ソケットを、下方から直視できないように覆い、前記直管型ランプを交換する際には、前記直管型ランプの長手方向に沿ってスライドし、かつ下方に回動して、前記口金を露出させることが可能であるソケットカバーと、
を有し、
前記ソケット台は、
前記ソケットカバーがスライドされていない状態の前記照明器具を、前記直管型ランプの長手方向に対して垂直に交わる面で切断した場合の断面図における左右の両端部において、前記ソケットを挟むようにして設けられる一対の側板と、
前記一対の側板の各々に設けられ、前記各側板から前記ソケットの側に突出する突起を有する係合凸部と、
前記各側板に形成されるガイドスリットと、
を有し、
前記ガイドスリットは、
前記直管型ランプの長手方向に沿うように延びる第１のスリット部と、
前記第１のスリット部に連結されると共に、下方へいくほど前記器具本体の中央から離れるように斜め下方に延びる第２のスリット部と、
を有し、
前記ソケットカバーは、
前記ソケットカバーがスライドされていない状態の前記照明器具を、前記直管型ランプの長手方向に対して垂直に交わる面で切断した場合の断面図における左右の両端部において、前記ソケットを挟むようにして設けられ、かつ前記ソケット台の前記各側板の内側に位置する一対の縁板と、
前記各縁板に設けられると共に、前記ソケット台の前記各側板に設けられる前記係合凸部の前記突起と係合し、かつ前記ソケットカバーが、前記直管型ランプの長手方向に沿ってスライドされる際に、前記突起から離脱される係合凹部と、
前記各縁板に固定されると共に、前記ソケット台の前記各側板に形成されている前記各ガイドスリットに挿入されて、前記ソケットカバーが前記ソケット台から脱落しないように支持し、かつ前記突起から離脱された状態の前記ソケットカバーが下方に回動する場合の回動軸となる一対の枢軸と、
を有する照明器具。
【請求項２】
請求項１に記載の照明器具において、
前記ソケットカバーがスライドされていない状態における照明器具の側面図において、前記ソケットカバーの、前記直管型ランプの長手方向における端部のうちの前記直管型ランプの中央から遠い側の端部の外形を決定する輪郭線は、前記ソケットカバーの上端から、前記直管型ランプの中央に近づくように斜め下方に傾斜しており、
前記各枢軸は、前記ソケットカバーがスライドされていない状態では、前記第１のスリット部の、前記直管型ランプの中央から近い側の端部に位置し、前記ソケットカバーがスライドされて前記各枢軸が前記第１のスリット部内を移動することで前記ソケットカバーは前記突起から離脱され、前記各枢軸が前記第２のスリット部を移動することで前記ソケットカバーが回動すると共に、前記器具本体の前記直管型ランプの長手方向における端部から前記輪郭線の下端までの距離が、所定長を超えないように前記ソケットカバーの回動が規制される照明器具。
【請求項３】
光源として、口金を備える直管型ランプが使用される照明器具であって、
器具本体と、
前記直管型ランプが装着されるソケットと、
前記器具本体の、前記直管型ランプの長手方向における両端に設けられると共に、前記ソケットを保持するソケット台と、
前記ソケット台に取り付けられると共に、前記直管型ランプが前記ソケットに装着されている状態において、前記直管型ランプの口金を含む端部および前記ソケットを、下方から直視できないように覆い、前記直管型ランプを交換する際には、前記直管型ランプの長手方向に沿ってスライドし、かつ下方に回動して、前記口金を露出させることが可能であるソケットカバーと、
を有し、
前記ソケット台は、
前記ソケットカバーがスライドされていない状態の前記照明器具を、前記直管型ランプの長手方向に対して垂直に交わる面で切断した場合の断面図における左右の両端部において、前記ソケットを挟むようにして設けられる一対の側板と、
前記一対の側板に設けられ、前記各側板から前記ソケットの側に突出する突起を有する係合凸部と、
前記各側板に固定される一対の枢軸と、
を有し、
前記ソケットカバーは、
前記ソケットカバーがスライドされていない状態の前記照明器具を、前記直管型ランプの長手方向に対して垂直に交わる面で切断した場合の断面図における左右の両端部において、前記ソケットを挟むようにして設けられ、かつ前記ソケット台の前記各側板の内側に位置する一対の縁板と、
前記各縁板に設けられると共に、前記ソケット台の前記各側板に設けられる前記係合凸部の前記突起と係合し、かつ前記ソケットカバーがスライドされることで前記突起から離脱される係合凹部と、
前記各縁板に形成され、かつ前記各枢軸が挿入されるガイドスリットと、
を有し、
前記ガイドスリットは、
前記ソケットカバーがスライドされていない状態において、前記直管型ランプの長手方向に沿って延びる第１のスリット部と、
前記第１のスリット部に連結されると共に、上方へいくほど前記直管型ランプの中央に近づくように、斜め上方へと延びる第２のスリット部と、
を有し、
前記ソケット台の前記各側板に設けられている前記各枢軸が、前記ソケットカバーの各縁板に形成されている前記各ガイドスリットに挿入されることで、前記ソケットカバーは、前記ソケット台から脱落しないように前記各枢軸によって支持され、かつ、前記突起から離脱された状態の前記ソケットカバーは、前記各枢軸を回動軸として下方に回動することが可能である照明器具。
【請求項４】
請求項３に記載の照明器具において、
前記ソケットカバーがスライドされていない状態における照明器具の側面図において、前記ソケットカバーの、前記直管型ランプの長手方向における端部のうちの、前記直管型ランプの中央から遠い側の端部の外形を決定する輪郭線は、前記ソケットカバーの上端から、前記直管型ランプの中央に近づくように斜め下方に傾斜しており、
前記各枢軸は、前記ソケットカバーがスライドされていない状態では、前記第１のスリット部の、前記直管型ランプの中央から遠い側の端部に位置し、前記ソケットカバーがスライドされて前記各枢軸が前記第１のスリット部内を移動することで前記ソケットカバーは、前記突起から離脱され、前記各枢軸が前記第２のスリット部を斜め上方に移動しているときに前記ソケットカバーは回動すると共に、前記器具本体の前記直管型ランプの長手方向における端部から前記輪郭線の上端までの距離が、所定長を超えないように前記ソケットカバーの回動が規制される照明器具。
【発明の詳細な説明】
【技術分野】
【０００１】
本発明は、天井面に取り付けられるベースライト等に適用される照明器具に関する。
【背景技術】
【０００２】
従来より、直管型ランプの口金に機械的および電気的に接続されるソケットを覆うソケットカバーを器具本体に着脱自在に取付けた照明器具が知られている（例えば、特許文献１参照）。
特許文献１は、反射板の孔にソケットを挿入した後に、ソケットカバーに有するエンドカバー部を反射板の段部に挿入することにより、ソケットカバーが反射板に取り付けられる。
特許文献１は、ソケットカバーに反射板のエンドカバーが一体に形成されるために、組み立ての手数を減少できる。
また、従来より、直管型ランプの端部と、照明器具の器具本体に設けられたソケットとを覆うソケットカバーを備えた照明器具が知られている（例えば、特許文献２参照）。
特許文献２は、直管型ランプの温度低下を防ぐことができ、低温状態での直管型ランプの光出力の低下を防止できる。
【先行技術文献】
【特許文献】
【０００３】
【特許文献１】実公昭６０−４３３５号公報（図２、請求項１）
【特許文献２】特開２００７−２６５９４１号公報（図２、請求項１）
【発明の概要】
【発明が解決しようとする課題】
【０００４】
ところが、特許文献１および特許文献２は、ランプ両端の口金部まで覆うのに、ソケットカバーのランプ軸方向の全長寸法が長くなる。
そのため、特許文献１および特許文献２は、ランプを着脱するためのスライド幅を長くしなければならない。
従って、特許文献１および特許文献２は、器具端部からの出代が大きくなってしまい、器具の設置条件に制約を生ずる。
【０００５】
本発明は、前述した課題を解決するためになされたものであり、その目的は、最小限のスライド量でランプの着脱を可能としながらランプ両端まで被覆でき、設置における制約を軽減できる照明器具を提供することにある。
【課題を解決するための手段】
【０００６】
本発明に係る照明器具は、光源として、口金を備える直管型ランプが使用される照明器具であって、器具本体と、前記直管型ランプが装着されるソケットと、前記器具本体の、前記直管型ランプの長手方向における両端に設けられると共に、前記ソケットを保持するソケット台と、前記ソケット台に取り付けられると共に、前記直管型ランプが前記ソケットに装着されている状態において、前記直管型ランプの口金を含む端部および前記ソケットを、下方から直視できないように覆い、前記直管型ランプを交換する際には、前記直管型ランプの長手方向に沿ってスライドし、かつ下方に回動して、前記口金を露出させることが可能であるソケットカバーと、を有し、前記ソケット台は、前記ソケットカバーがスライドされていない状態の前記照明器具を、前記直管型ランプの長手方向に対して垂直に交わる面で切断した場合の断面図における左右の両端部において、前記ソケットを挟むようにして設けられる一対の側板と、前記一対の側板の各々に設けられ、前記各側板から前記ソケットの側に突出する突起を有する係合凸部と、前記各側板に形成されるガイドスリットと、を有し、前記ガイドスリットは、前記直管型ランプの長手方向に沿うように延びる第１のスリット部と、前記第１のスリット部に連結されると共に、下方へいくほど前記器具本体の中央から離れるように斜め下方に延びる第２のスリット部と、を有し、前記ソケットカバーは、前記ソケットカバーがスライドされていない状態の前記照明器具を、前記直管型ランプの長手方向に対して垂直に交わる面で切断した場合の断面図における左右の両端部において、前記ソケットを挟むようにして設けられ、かつ前記ソケット台の前記各側板の内側に位置する一対の縁板と、前記各縁板に設けられると共に、前記ソケット台の前記各側板に設けられる前記係合凸部の前記突起と係合し、かつ前記ソケットカバーが、前記直管型ランプの長手方向に沿ってスライドされる際に、前記突起から離脱される係合凹部と、前記各縁板に固定されると共に、前記ソケット台の前記各側板に形成されている前記各ガイドスリットに挿入されて、前記ソケットカバーが前記ソケット台から脱落しないように支持し、かつ前記突起から離脱された状態の前記ソケットカバーが下方に回動する場合の回動軸となる一対の枢軸と、を有する。
【０００７】
本発明に係る照明器具は、前記ソケットカバーがスライドされていない状態における照明器具の側面図において、前記ソケットカバーの、前記直管型ランプの長手方向における端部のうちの前記直管型ランプの中央から遠い側の端部の外形を決定する輪郭線は、前記ソケットカバーの上端から、前記直管型ランプの中央に近づくように斜め下方に傾斜しており、前記各枢軸は、前記ソケットカバーがスライドされていない状態では、前記第１のスリット部の、前記直管型ランプの中央から近い側の端部に位置し、前記ソケットカバーがスライドされて前記各枢軸が前記第１のスリット部内を移動することで前記ソケットカバーは前記突起から離脱され、前記各枢軸が前記第２のスリット部を移動することで前記ソケットカバーが回動すると共に、前記器具本体の前記直管型ランプの長手方向における端部から前記輪郭線の下端までの距離が、所定長を超えないように前記ソケットカバーの回動が規制される。
【０００８】
本発明に係る照明器具は、光源として、口金を備える直管型ランプが使用される照明器具であって、器具本体と、前記直管型ランプが装着されるソケットと、前記器具本体の、前記直管型ランプの長手方向における両端に設けられると共に、前記ソケットを保持するソケット台と、前記ソケット台に取り付けられると共に、前記直管型ランプが前記ソケットに装着されている状態において、前記直管型ランプの口金を含む端部および前記ソケットを、下方から直視できないように覆い、前記直管型ランプを交換する際には、前記直管型ランプの長手方向に沿ってスライドし、かつ下方に回動して、前記口金を露出させることが可能であるソケットカバーと、を有し、前記ソケット台は、前記ソケットカバーがスライドされていない状態の前記照明器具を、前記直管型ランプの長手方向に対して垂直に交わる面で切断した場合の断面図における左右の両端部において、前記ソケットを挟むようにして設けられる一対の側板と、前記一対の側板に設けられ、前記各側板から前記ソケットの側に突出する突起を有する係合凸部と、前記各側板に固定される一対の枢軸と、を有し、前記ソケットカバーは、前記ソケットカバーがスライドされていない状態の前記照明器具を、前記直管型ランプの長手方向に対して垂直に交わる面で切断した場合の断面図における左右の両端部において、前記ソケットを挟むようにして設けられ、かつ前記ソケット台の前記各側板の内側に位置する一対の縁板と、前記各縁板に設けられると共に、前記ソケット台の前記各側板に設けられる前記係合凸部の前記突起と係合し、かつ前記ソケットカバーがスライドされることで前記突起から離脱される係合凹部と、前記各縁板に形成され、かつ前記各枢軸が挿入されるガイドスリットと、を有し、前記ガイドスリットは、前記ソケットカバーがスライドされていない状態において、前記直管型ランプの長手方向に沿って延びる第１のスリット部と、前記第１のスリット部に連結されると共に、上方へいくほど前記直管型ランプの中央に近づくように、斜め上方へと延びる第２のスリット部と、を有し、前記ソケット台の前記各側板に設けられている前記各枢軸が、前記ソケットカバーの各縁板に形成されている前記各ガイドスリットに挿入されることで、前記ソケットカバーは、前記ソケット台から脱落しないように前記各枢軸によって支持され、かつ、前記突起から離脱された状態の前記ソケットカバーは、前記各枢軸を回動軸として下方に回動することが可能である。
【０００９】
本発明に係る照明器具は、前記ソケットカバーがスライドされていない状態における照明器具の側面図において、前記ソケットカバーの、前記直管型ランプの長手方向における端部のうちの、前記直管型ランプの中央から遠い側の端部の外形を決定する輪郭線は、前記ソケットカバーの上端から、前記直管型ランプの中央に近づくように斜め下方に傾斜しており、前記各枢軸は、前記ソケットカバーがスライドされていない状態では、前記第１のスリット部の、前記直管型ランプの中央から遠い側の端部に位置し、前記ソケットカバーがスライドされて前記各枢軸が前記第１のスリット部内を移動することで前記ソケットカバーは、前記突起から離脱され、前記各枢軸が前記第２のスリット部を斜め上方に移動しているときに前記ソケットカバーは回動すると共に、前記器具本体の前記直管型ランプの長手方向における端部から前記輪郭線の上端までの距離が、所定長を超えないように前記ソケットカバーの回動が規制される。
【発明の効果】
【００１０】
本発明に係る照明器具によれば、最小限のスライド量でランプの着脱を可能としながらランプ両端まで被覆でき、設置における制約を軽減できるという効果を奏する。
【図面の簡単な説明】
【００１１】
【図１】本発明に係る第１実施形態の照明器具の斜め下方から視た外観斜視図
【図２】本発明に係る第１実施形態の照明器具の側面図
【図３】本発明に係る第１実施形態の照明器具の底面図
【図４】本発明に係る第１実施形態の照明器具の正面から視た垂直断面図
【図５】本発明に係る第１実施形態の照明器具のソケットカバーの閉状態の斜め下方から視た単体外観斜視図
【図６】本発明に係る第１実施形態の照明器具のソケットカバーの第１位置の側面図
【図７】本発明に係る第１実施形態の照明器具のソケットカバーの第１位置のソケットカバー周りの側面図
【図８】本発明に係る第１実施形態の照明器具のソケットカバーの第２位置の側面図
【図９】本発明に係る第１実施形態の照明器具のソケットカバーの第２位置のソケットカバー周りの側面図
【図１０】本発明に係る第１実施形態の照明器具のソケットカバーの開成時の側面図
【図１１】本発明に係る第１実施形態の照明器具のソケットカバーの開成時のソケットカバー周りの側面図
【図１２】本発明に係る第１実施形態の照明器具のソケットカバーの開成時の斜め下方から視た単体外観斜視図
【図１３】本発明に係る第２実施形態の照明器具のソケットカバーの開成時の斜め下方から視た外観斜視図
【図１４】本発明に係る第２実施形態の照明器具の正面から視た垂直断面図
【図１５】本発明に係る第２実施形態の照明器具のソケットカバーの閉状態の斜め下方から視た単体外観斜視図
【図１６】本発明に係る第２実施形態の照明器具のソケットカバーの第１位置の側面図
【図１７】本発明に係る第２実施形態の照明器具のソケットカバーの第１位置のソケットカバー周りの側面図
【図１８】本発明に係る第２実施形態の照明器具のソケットカバーの第２位置の側面図
【図１９】本発明に係る第２実施形態の照明器具のソケットカバーの第２位置のソケットカバー周りの側面図
【図２０】本発明に係る第２実施形態の照明器具のソケットカバーの開成時の側面図
【図２１】本発明に係る第２実施形態の照明器具のソケットカバーの開成時のソケットカバー周りの側面図
【図２２】本発明に係る第２実施形態の照明器具のソケットカバーの開成時の斜め下方から視た単体外観斜視図
【発明を実施するための形態】
【００１２】
以下、本発明に係る複数の実施形態の照明器具について図面を参照して説明する。
（第１実施形態）
図１に示すように、本発明に係る第１実施形態の照明器具１０は、反射板一体型の器具本体１１と、器具本体１１の両端に取り付けられた一対のソケット１２，１３と、を備える。
また、照明器具１０は、ソケット１２，１３に装着されることによりソケット１２，１３に機械的および電気的に接続されるランプ１４を備える。
そして、照明器具１０は、ソケット１２，１３を覆うソケットカバー１５，１６を備えており、ベースライトに適用される。
【００１３】
図２に示すように、器具本体１１は、中央部の上面に電源ボックス１７が取り付けられており、この電源ボックス１７内に電源ユニット１８が収容されている。電源ユニット１８は、不図示の器具配線を通じて各ソケット１２，１３に給電する。
図３に示すように、器具本体１１は、その下面において、ランプ１４の上方に反射面１９を有する。
【００１４】
ランプ１４は、直管型ＬＥＤランプや直管型蛍光ランプであり、直管型ＬＥＤランプの場合、一方の口金２０に不図示の複数の給電側ピンを有し、他方の口金２１に同じく不図示の単一の接地側ピンを有する。
そのため、ランプ１４が、直管型ＬＥＤランプの場合、一方のソケット１２が給電側ソケットになり、他方のソケット１３が接地側ソケットになる。
【００１５】
次に、ソケットカバー１５，１６について詳細に説明する。なお、ソケットカバー１５，１６は、それぞれ同一構造であるために、ここでは、一方のソケットカバー１５についてのみ説明し、他方のソケットカバー１６については、説明を省略する。
図４に示すように、器具本体１１は、一方のソケット１２を保持するソケット台２２を端部に取り付けている。
【００１６】
ソケットカバー１５は、ランプ１４と同色の乳白色等に染色された樹脂製であって、ランプ１４の外径寸法よりも大きい内径寸法を有して半円筒形状に形成された下部カバー部２３と、ランプ１４の軸線方向の端部に配置された端部カバー部２４とを有する。
また、ソケットカバー１５は、端部カバー部２４に対面する下部カバー部２３のランプ１４側の端部に開口部２５を有する。
【００１７】
図５に示すように、ソケットカバー１５は、内側にソケット１２を収容している。
ソケット台２２は、ソケット１２の外側において器具本体１１の短手方向に配置される一対の側板２６に、一対の係合凸部２７と、一対のガイドスリット２８と、を有する。
係合凸部２７は、側板２６に嵌着された金属製の板部材であり、側板２６の内側に向けて突出している。
ガイドスリット２８は、ランプ１４の軸線に沿って長さを有して切除されている。
そして、ソケットカバー１５は、下部カバー部２３の上端部の一対に縁板２９に、係合凸部２７に係合される係合凹部３０と、ガイドスリット２８に挿入される枢軸３１と、を有する。
【００１８】
係合凹部３０は、ソケットカバー１５が第１位置（図７参照）Ａ１から第２位置（図９参照）Ａ２にスライド移動される際に、係合凸部２７から離脱される。
また、係合凹部３０は、ソケットカバー１５が第２位置Ａ２から第１位置Ａ１にスライド移動される際に、係合凸部２７に係合される。
枢軸３１は、ガイドスリット２８に挿入されることにより、ソケットカバー１５をソケット台２２に支持する。
このとき、ソケットカバー１５は、一対の枢軸３１がソケット台２２の側板２６の内側において一対のガイドスリット２８に挿入されているために、ソケット台２２から脱落せずに保持されている。
【００１９】
ガイドスリット２８は、ソケットカバー１５が第１位置Ａ１から第２位置Ａ２にスライド移動される際に、ソケットカバー１５がソケット台２２に沿って器具本体１１の端部に向けて平行移動されるように保持する平行移動用スリット部３２を有する。
また、ガイドスリット２８は、ソケットカバー１５が第２位置Ａ２に移動した後に、ランプ１４の軸線に対して直交する方向に近づくように開成の回動を行う際に、ソケットカバー１５をソケット１２から離しながら保持する回動移動用スリット部３３を有する。
なお、ソケットカバー１５（１６）は、ソケット台２２に代えて、器具本体１１に取付られてもよい。
【００２０】
次に、ソケットカバー１５の動作について詳細に説明する。
図６に示すように、ソケットカバー１５は、端部カバー部２４が器具本体１１の端部から下方の斜め内方に向けて傾斜して形成されている。
このとき、ソケットカバー１５は、第１位置Ａ１にあるために、下部カバー部２３によりランプ１４の口金２０およびソケット１２を、下方から直視できないように隠蔽する。
つまり、ソケットカバー１５は、ランプ１４の少なくとも一方の端部の端部部材である口金２０を含む筒状胴体部分を覆う。
【００２１】
図７に示すように、ソケットカバー１５は、第１位置Ａ１にあるために、係合凹部３０がソケット台２２の係合凸部２７に係合されており、枢軸３１がガイドスリット２８の平行移動用スリット部３２の内方端部に位置している。
このとき、ソケットカバー１５は、係合凹部３０がソケット台２２の係合凸部２７に係合されているために、ソケットカバー１５を下方へ向けて引っ張る等の応力を与えない限りソケット台２２から離脱することはない。
【００２２】
図８に示すように、次に、作業者やユーザーによって、ソケットカバー１５が、第１位置Ａ１から第２位置Ａ２に押圧されてスライド移動される。
図９に示すように、ソケットカバー１５が、第１位置Ａ１から第２位置Ａ２に押圧されてスライド移動されることにより、係合凹部３０がソケット台２２の係合凸部２７から離脱される。
同時に、ソケットカバー１５は、枢軸３１がガイドスリット２８の平行移動用スリット部３２から回動移動用スリット部３３に向けて移動されていく。
【００２３】
図１０に示すように、ソケットカバー１５は、第２位置Ａ２までスライド移動された後に、作業者やユーザーが、ソケットカバー１５の開口部２５に指等を引っ掛けてソケットカバー１５の開口部２５側を下方へ向けて引張する。
図１１に示すように、ソケットカバー１５は、係合凹部３０がソケット台２２の係合凸部２７から離脱されていて、枢軸３１がガイドスリット２８の回動移動用スリット部３３の外方端部にある位置において、開口部２５側が下方へ向けて引張される。
【００２４】
そのため、回動移動用スリット部３３の外方端部に位置する枢軸３１が回動移動用スリット部３３に支持されながら下方端部へ向けて移動されていき、ソケットカバー１５が開成される。
このとき、ソケットカバー１５は、ランプ１４の装着位置で最大に開成されたときに、ランプ１４の軸線Ｘに対して直交方向に引いた線Ｙを越えないように回動範囲Ｚを規制される。
つまり、ソケットカバー１５は、端部カバー部２４が器具本体１１の端部から下方の斜め内方に向けて傾斜して形成されているために、開成されたときに、器具本体１１の端部から外方に向けて小さい出張長Ｌ１になる。
【００２５】
図１２に示すように、ソケットカバー１５が開成されることにより、ランプ１４の口金２０およびソケット１２が露出されて、ランプ１４の交換等が実施される。
図１３に示すように、このとき、各ソケットカバー１５，１６が開成されることにより、それぞれ第２位置Ａ２において開成された各ソケットカバー１５，１６間の長さ寸法がランプ１４の全長よりも大きくなっているために、ランプ１４が支障なく交換される。
【００２６】
以上、説明した本発明に係る第１実施形態の照明器具１０によれば、ソケットカバー１５，１６が、ランプ１４の長手軸線方向の第１位置Ａ１および第２位置Ａ２にスライド可能である。
また、照明器具１０によれば、ソケットカバー１５，１６が、第２位置Ａ２においてランプ１４の軸線に対して直交する線を中心としてランプ１４から離れる方向に回動可能である。
従って、ソケットカバー１５，１６は、最小限のスライド量でランプ１４の着脱を可能としながらランプ１４の両端まで被覆でき、設置における制約を軽減できる。
【００２７】
また、照明器具１０によれば、ソケットカバー１５，１６が、ランプ１４の少なくとも一方の端部の口金２０を含む筒状胴体部分を覆うために、下方から直視できずに意匠面で良好にできる。
【００２８】
そして、照明器具１０によれば、ソケットカバー１５，１６が、ソケット１２，１３を保持するソケット台２２に取り付けられたために、新たな部品を追加する必要がなく、通常の部品を活用できる。
【００２９】
さらに、照明器具１０によれば、ソケットカバー１５，１６が、開成時に、器具本体１１の端部から外方に向けて小さい出張長Ｌ１になるために、併設されている他の部材との干渉を防止できる。
【００３０】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３１】
図１４に示すように、本発明に係る第２実施形態の照明器具４０は、ソケット台４１の側板４２に、係合凸部４３と、枢軸（図１５参照）４４とを有し、ソケットカバー４５の縁板４６に、係合凹部４７と、ガイドスリット（図１５参照）４８と、を有する。
【００３２】
図１５に示すように、枢軸４４は、ねじであり、ソケット台４１の側板４２にねじ止めされることにより、ソケットカバー４５のガイドスリット４８に挿入されている。
ソケットカバー４５は、縁板４６に有するガイドスリット４８が、平行移動用スリット部４９の器具本体１１の内方に回動移動用スリット部５０を連通接続している。
【００３３】
次に、ソケットカバー４５の動作について詳細に説明する。
図１６に示すように、ソケットカバー４５が第１位置Ｂ１にあるために、下部カバー部２３によりランプ１４の口金２０およびソケット１２を、下方から直視できないように隠蔽する。
【００３４】
図１７に示すように、ソケットカバー４５は、第１位置Ｂ１にあるために、係合凹部４７がソケット台４１の係合凸部４３に係合されており、枢軸４４がガイドスリット４８の平行移動用スリット部４９の外方端部に位置している。
図１８に示すように、次に、作業者やユーザーによって、ソケットカバー４５が、第１位置Ｂ１から第２位置Ｂ２に押圧されてスライド移動される。
【００３５】
図１９に示すように、ソケットカバー４５が、第１位置Ｂ１から第２位置Ｂ２に押圧されてスライド移動されることにより、係合凹部４７がソケット台４１の係合凸部４３から離脱される。
同時に、ソケットカバー４５は、枢軸４４に対して、ガイドスリット４８が、平行移動用スリット部４９から回動移動用スリット部５０に移動していく。
【００３６】
図２０に示すように、ソケットカバー４５は、第２位置Ｂ２までスライド移動された後に、作業者やユーザーが、ソケットカバー４５の開口部２５に指等を引っ掛けてソケットカバー４５の開口部２５側を下方へ向けて引張する。
図２１に示すように、ソケットカバー４５は、係合凹部４７がソケット台４１の係合凸部４３から離脱されていて、枢軸４４に対して、ガイドスリット４８の回動移動用スリット部５０の上方端部にある位置おいて、開口部２５側が下方へ向けて引張される。
【００３７】
そのため、ソケットカバー４５は、回動移動用スリット部５０の上方端部に位置する枢軸４４に支持されながら下方へ向けて回動されていき、ソケットカバー４５が開成される。
このとき、ソケットカバー４５は、端部カバー部２４が器具本体１１の端部から下方の斜め内方に向けて傾斜して形成されているために、開成されたときに、器具本体１１の端部から外方に向けて小さい出張長Ｌ２になる。
図２２に示すように、ソケットカバー４５が開成されることにより、ランプ１４の口金２０およびソケット１２が露出されて、ランプ１４の交換等が実施される。
【００３８】
第２実施形態の照明器具４０によれば、ソケットカバー４５を支持する枢軸４４にねじが適用されるために、一体成形を行うことがなく、金型費を削減できるので、コスト面で有利にできる。
【００３９】
なお、本発明の照明器具において器具本体、ソケット、電源ボックス、電源ユニット等は、前述した各実施形態に限定されるものでなく、適宜な変形や改良等が可能である。
【符号の説明】
【００４０】
１０，４０  照明器具
１１  器具本体
１２，１３  ソケット
１４  ランプ
１５，１６，４ソケットカバー
２１  口金（端部部材）
２２，４１  ソケット台
【図１】
0005948692.tif 000002
【図２】
0005948692.tif 000003
【図３】
0005948692.tif 000004
【図４】
0005948692.tif 000005
【図５】
0005948692.tif 000006
【図６】
0005948692.tif 000007
【図７】
0005948692.tif 000008
【図８】
0005948692.tif 000009
【図９】
0005948692.tif 000010
【図１０】
0005948692.tif 000011
【図１１】
0005948692.tif 000012
【図１２】
0005948692.tif 000013
【図１３】
0005948692.tif 000014
【図１４】
0005948692.tif 000015
【図１５】
0005948692.tif 000016
【図１６】
0005948692.tif 000017
【図１７】
0005948692.tif 000018
【図１８】
0005948692.tif 000019
【図１９】
0005948692.tif 000020
【図２０】
0005948692.tif 000021
【図２１】
0005948692.tif 000022
【図２２】
0005948692.tif 000023